(57)【要約】  【課題】安価な冷却器で効率的に冷却でき、冷却ダクト壁面が結露せず、冷蔵室の温度ムラを抑えた冷蔵庫を提供する。  【解決手段】冷蔵室６に平板状の冷却器２５と、冷却ファン２６と、冷蔵室を構成する断熱箱体の内箱２と化粧板２１で仕切られた冷却ダクト２２とを備え、冷却器２５は冷却ダクト２２内に設置し、化粧板２１には冷蔵室内と連通する連通口２７を設け、冷却ダクト２２内に冷気吐出ダクト２２ａおよび冷気吸込ダクト２２ｂを形成し、隣接する脱臭ファン４１と脱臭装置４０を備えた脱臭ダクト２２ｃの下部で冷気吐出ダクト２２ａと連通するバイパス３９を構成するものであり、冷却器２５により効率的に冷却されるので、冷却器２５を安価に構成できる。また、冷却ダクト２２の庫内側は吸込ダクトを形成しており、化粧板２１壁面は結露しない。また冷蔵室内の温度ムラを抑えることができる。【選択図】図３
2006010204.tif 000002
【特許請求の範囲】
【請求項１】
冷蔵室内に平板状の冷却器と、冷却ファンと、脱臭装置と、脱臭ファンと、冷蔵室を構成する断熱箱体の内箱と化粧板で仕切られた冷却ダクトと脱臭ダクトとを備え、前記冷却器は前記冷却ダクト内に設置し、前記化粧板には冷蔵室内と連通する連通口を設け、前記冷却ダクトは前記冷却器と前記内箱間で冷気吐出ダクトを、前記冷却器と前記化粧板間で冷気吸込ダクトを形成し、前記脱臭装置は前記内箱と前記化粧板間に構成した前記脱臭ダクト内に設置し、前記冷却ダクトと前記脱臭ダクトとを連通させるバイパスを形成していることを特徴とする冷蔵庫。
【請求項２】
冷却ファンと脱臭ファンが同期して同時に回転動作を行うことを特徴とする請求項１記載の冷蔵庫。
【請求項３】
冷蔵室上部の温度が上昇した場合のみ脱臭ファンが回転動作を行うことを特徴とする請求項１記載の冷蔵庫。
【請求項４】
冷却ファンと脱臭ファンが交互に回転動作を行うことを特徴とする請求項１記載の冷蔵庫。
【請求項５】
冷蔵室内の温度が安定した場合、冷却ファンを停止させて脱臭ファンのみで回転動作を行うことを特徴とする請求項１記載の冷蔵庫。
【発明の詳細な説明】
【技術分野】
【０００１】
本発明は冷蔵室内を最適に冷やすことのできる冷蔵庫に関するものである。
【背景技術】
【０００２】
一般的に冷蔵庫は、冷蔵室を冷却器で冷却された冷気を庫内へ循環させて庫内を冷却する間冷式と、冷却器で冷却された冷却壁面により庫内を冷却する直冷式があり、間冷式にあっては冷却器を設置する場所とは別に庫内の空気を循環させる吸込みダクト及び吐出ダクトが必要なため、冷蔵室内の有効内容積が少なくなったり、一方直冷式にあっては食品投入時の急激な庫内温度上昇に対応できなかった。
【０００３】
従来の直冷式冷蔵庫は、冷却ファンを配置し、冷却ファンを適時運転することで直冷式の欠点を補っていた（例えば、特許文献１参照）。
【０００４】
図５は、特許文献１に記載された従来の冷蔵庫を示すものである。図５に示すように、内箱２と外箱３との間に断熱材４が充填された断熱箱体５によって構成された冷蔵庫１において、冷蔵庫は上から冷蔵室６、野菜室７、第１冷凍室８、第２冷凍室９である。
【０００５】
冷蔵室６と野菜室７は、内箱を構成する上下、左右、後の壁面に接して冷却パイプ１０（蒸発器）が配置され、庫内は冷却パイプ１０によって冷却される複数の冷却壁面を有する構成となっている。
【０００６】
冷蔵室の庫内側となる後壁の内箱壁面には、冷却ダクト１１が配置され、冷却ダクト１１の上方には冷蔵室用の冷却ファン１２が配置されている。冷却ダクト１１は、上方が吹出口１３、下方が取出口１４となっていて、前面からも複数のスリット状の開口１５によって冷却ダクト１１への取り入れが行えるようになっている。
【０００７】
このように構成された冷蔵庫によれば、冷蔵室の冷却は庫内温度が設定範囲内で安定している時は、冷蔵用の冷却ファン１２を停止し、圧縮機１６の運転により、冷却パイプ１０に冷媒が流すことで内箱の壁面が直接冷却され上下、左右、後壁が冷却壁面となり冷却を行う。
【０００８】
次に、食品を投入し庫内温度が上昇した時には、冷蔵用の冷却ファン１２を運転し、冷却ダクト１１を介して冷気を循環させて庫内の冷却を行ない、庫内温度を下げる。冷却ファン１２の運転後、庫内が設定温度に達した時には、冷蔵用の冷却ファン１２を停止し、冷却壁面のみによる冷却に戻る。
【特許文献１】特開２０００−２８２５７号公報
【発明の開示】
【発明が解決しようとする課題】
【０００９】
しかしながら、上記のような構成では内箱に多くの冷却パイプを配設する必要があり多大のコストがかかってしまう。また、冷却ダクトの庫内側壁面温度が低くなり、結露してしまう。また、庫内温度分布にムラが生じるという課題を有していた。
【００１０】
本発明は上記課題を解決するもので、少ない冷却パイプで冷却器を構成し安価にできる。また、冷却ダクト壁面が結露しない。また、庫内温度分布が均一で省エネで静音な冷蔵庫を提供することを目的とする。
【課題を解決するための手段】
【００１１】
上記従来の課題を解決するために、本発明の冷蔵庫は、冷蔵室内に平板状の冷却器と、冷却ファンと、脱臭装置と、脱臭ファンと、冷蔵室を構成する断熱箱体の内箱と化粧板で仕切られた冷却ダクトと脱臭ダクトとを備え、前記冷却器は前記冷却ダクト内に設置し、前記化粧板には冷蔵室内と連通する連通口を設け、前記冷却ダクトは前記冷却器と前記内箱間で冷気吐出ダクトを、前記冷却器と前記化粧板間で冷気吸込ダクトを形成し、前記脱臭装置は前記内箱と前記化粧板間に構成した前記脱臭ダクト内に設置し、前記冷却ダクトと前記脱臭ダクトとを連通させるバイパスを形成したものである。
【００１２】
これによって、冷蔵庫内を冷やす冷気は冷却ダクト内に設置した冷却器により効率的に冷却されるので、少ない冷却パイプで冷却器を構成でき安価にできる。また、冷却ダクトを最小限に抑えることができ有効内容積が多くできる。また、冷却ダクトの庫内側は吸込ダクトを形成しており、化粧板壁面は結露しない。また、冷気吐出ダクトと脱臭ダクトを連通さており、冷蔵室上部を冷却して冷蔵室の温度ムラを抑えることができることになる。
【００１３】
また、本発明の冷蔵庫は、冷却ファンと脱臭ファンが同期して同時に回転動作を行うものである。
【００１４】
これによって、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができることになる。
【００１５】
また、本発明の冷蔵庫は、冷蔵室上部の温度が上昇した場合のみ脱臭ファンが回転動作を行うものである。
【００１６】
これによって、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、冷蔵室上部温度が安定している時は脱臭ファンを停止させているので省エネ・静音を実現することができることになる。
【００１７】
また、本発明の冷蔵庫は、冷却ファンと脱臭ファンが交互に回転動作を行うものである。
【００１８】
これによって、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、常時ひとつのファンで温度制御させているので省エネ・静音を実現することができることになる。
【００１９】
また、本発明の冷蔵庫は、冷蔵室内の温度が安定した場合冷却ファンを停止させて脱臭ファンのみで回転動作を行うものである。
【００２０】
これによって、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、冷蔵室内温度が安定している時は冷却ファンを停止させているので省エネ・静音を実現することができることになる。
【発明の効果】
【００２１】
本発明の冷蔵庫は、冷蔵室の冷却器を安価にできる。さらに、有効内容積が多くできる。さらに、化粧板壁面は結露しない。
【００２２】
また、本発明の冷蔵庫は、冷蔵室の温度ムラが抑えられることができる。
【００２３】
また、本発明の冷蔵庫は、冷蔵室内温度が安定している時必要最小限のファンしか動作しないため省エネ・静音を実現することができる。
【発明を実施するための最良の形態】
【００２４】
請求項１に記載の発明は、冷蔵室内に平板状の冷却器と、冷却ファンと、脱臭装置と、脱臭ファンと、冷蔵室を構成する断熱箱体の内箱と化粧板で仕切られた冷却ダクトと脱臭ダクトとを備え、前記冷却器は前記冷却ダクト内に設置し、前記化粧板には冷蔵室内と連通する連通口を設け、前記冷却ダクトは前記冷却器と前記内箱間で冷気吐出ダクトを、前記冷却器と前記化粧板間で冷気吸込ダクトを形成し、前記脱臭装置は前記内箱と前記化粧板間に構成した前記脱臭ダクト内に設置し、前記冷却ダクトと前記脱臭ダクトとを連通させるバイパスを形成したことにより、冷蔵庫内を冷やす冷気は冷却ダクト内に設置した冷却器により効率的に冷却されるので、少ない冷却パイプで冷却器を構成でき安価にできる。また、冷却ダクトを最小限に抑えることができ有効内容積が多くできる。また、冷却ダクトの庫内側は吸込ダクトを形成しており、化粧板表面は結露しない。また、冷気吐出ダクトと脱臭ダクトを連通さており、冷蔵室上部を冷却して冷蔵室の温度ムラを抑えることができる。
【００２５】
請求項２に記載の発明は、請求項１に記載の発明の冷蔵庫の冷却ファンと脱臭ファンが同期して同時に回転動作を行うことにより、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができる。
【００２６】
請求項３に記載の発明は、請求項１に記載の発明の冷蔵庫の冷蔵室上部の温度が上昇した場合のみ脱臭ファンが回転動作を行うことにより、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、冷蔵室上部温度が安定している時は脱臭ファンを停止させているので省エネ・静音を実現できる。
【００２７】
請求項４に記載の発明は、請求項１に記載の発明の冷蔵庫の冷却ファンと脱臭ファンが交互に回転動作を行うことにより、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、常時ひとつのファンで温度制御させているので省エネ・静音を実現することができる。
【００２８】
請求項５に記載の発明は、請求項１に記載の発明の冷蔵庫の冷蔵室内の温度が安定した場合冷却ファンを停止させて脱臭ファンのみで回転動作を行うことにより、化粧板表面には結露なく、化粧板上部に設けた冷却ファンによる冷蔵室上部の温度上昇を、同じく化粧板上部に設けた脱臭ファンにより冷蔵室上部を冷却するため、冷蔵室の温度ムラを抑えることができ、冷蔵室内温度が安定している時は冷却ファンを停止させているので省エネ・静音を実現することができる。
【００２９】
以下、本発明の実施の形態について、図面を参照しながら説明する。なお、この実施の形態によってこの発明が限定されるものではない。
【００３０】
（実施の形態１）
図１は、本発明の実施の形態１における冷蔵庫の縦断面図を示すものである。図２は、本発明の実施の形態１における冷蔵庫の冷凍サイクル図を示すものである。図３は、本発明の実施の形態１における冷蔵庫の冷蔵室化粧板裏のダクト構成斜視図を示すものである。
【００３１】
図１において、冷蔵庫１７は、内箱２と外箱３との間に断熱材４が充填された断熱箱体５によって構成されている。冷蔵庫１７は上から冷蔵室６、冷蔵室６下部には冷蔵室よりも設定温度を低くした低温室１８、第１冷凍室８、第２冷凍室９を有しており、第１冷凍室８と第２冷凍室９は冷凍仕切板１９によって仕切られると共に、冷蔵室６と第１冷凍室８は断熱箱体９と同一構成の断熱仕切壁２０によって仕切られている。
【００３２】
冷蔵室６には、内箱２の後壁面と化粧板２１で仕切られた冷却ダクト２２を設け、冷却ダクト２２内には冷却パイプ２３と平板２４から構成された冷却プレート２５が、冷却プレート２５と内箱２間に冷気吐出ダクト２２ａが冷却プレート２５と化粧板２１間に冷気吸込ダクト２２ｂが形成されるように配置されている。また、冷却プレート２５と内箱２間の距離Ａを冷却プレート２５と化粧板２１間の距離Ｂより大きくなる位置にも配置されている。
【００３３】
また上部には冷却ファン２６と吸込口２８を配置し、冷蔵室６下部の冷蔵室よりも設定温度を低くした低温室１８に吐出口２９を開口させている。また化粧板２１にも冷気吸込ダクト２２ｂと冷蔵室６内を連通する複数の開口面積を冷却ファン２６との距離が近いほど（化粧板上部ほど）大きくしている連通口２７を開口させている。第２冷凍室９内には、冷却ファン３０と蒸発器３１が配置されている。
【００３４】
図２は冷凍サイクルを示しており、圧縮機１６から吐出された冷媒は、実線で示す如く凝縮器３２、三方弁３３を通った後、キャピラリチューブ３４で減圧されて、蒸発器３１に入り、冷媒タンク３５を介して、再び、圧縮機１６に戻る第１冷凍サイクルを構成している。また、圧縮機１６から吐出された冷媒は、点線で示す如く凝縮器３２を通り、三方弁３３によって冷媒流路が切替えられ、点線で示す如く、キャピラリチューブ３６で減圧されて、冷却プレート２５に入り、冷媒タンク３７を介して、再び圧縮機１６に戻る第２冷凍サイクルを構成している。
【００３５】
図３において、冷却ダクト２２は、化粧版２１と仕切り壁３８とによって構成されている。仕切り壁３８ａ下部にはバイパス３９を設けて冷気吐出ダクト２２ａと脱臭ダクト２２ｃとを連通させるよう配置されている。
【００３６】
また脱臭ダクト２２ｃ上部には脱臭ファン４１と吐出口４２を配置し、脱臭ダクト２２ｃ途中には脱臭装置４０を設置している。
【００３７】
以上のように構成された冷蔵庫について、以下その動作、作用を説明する。
【００３８】
圧縮機１６の運転により、冷却プレート２５又は蒸発器３１に冷媒が流れることで、庫内の冷却が行われる。即ち、冷凍室８、９側にあっては、蒸発器３１で冷却した冷気が冷凍用の冷却ファン３０によって庫内を循環し、各冷凍室８、９内の冷却が行なう。
【００３９】
一方、冷蔵室６側にあっては、冷気吐出ダクト２２ａで冷却プレート２５により冷却された冷気は、低温室１８の奥面部にある吐出口２９から吐出され、まず低温室１８を冷却し、その後冷蔵室６全体を冷却し化粧板２１の連通口２７および吸込口２８から吸い込まれる。その時吸込口２８から吸い込まれた冷気は冷気吸込ダクト２２ｂ内で冷却プレート２５により冷却され、冷気は冷却プレート２５の両面で効率的に冷却されることになる。
【００４０】
以上のように、本実施の形態においては冷却プレート２５の両面で冷気を効率的に冷却できるので少ない冷却パイプで冷却プレート２５を安価に構成できる。さらに、冷却ダクト２２は最小限に抑えることができ、冷蔵室有効内容積が多くできる。さらに、化粧板２１と冷却プレート２５間には冷気吸込ダクト２２ｂがあり化粧板２１が冷却プレート２５により極端に冷却されることもなく化粧板２１の結露が防止できる。
【００４１】
また、本実施の形態では冷気吐出ダクト２２ａと脱臭ダクト２２ｃとが仕切り壁３８ａの下部に設けたバイパス３９で連通しているため、上部に設けた冷却ファン２６によって吸込口２８から暖気が吸込まれ周辺の温度が上昇し冷蔵室の上段と下段で温度ムラが発生しても、脱臭ファン４１が動作して吐出口４２から冷却プレート２５によって冷却された冷気がバイパス３９から脱臭ダクト２２ｃ経て吐出されるため、上段を冷却するため冷蔵室の温度ムラを抑えることができる。
【００４２】
（実施の形態２）
本発明による実施の形態２について、図面を参照しながら説明する。なお、実施の形態１と同一構成については、同一符号を付して詳細な説明を省略する。図４は、本発明の実施の形態２における冷蔵庫の冷蔵室化粧板裏のダクト構成斜視図を示すものである。
【００４３】
以上のように構成された冷蔵庫について、以下その動作、作用を説明する。
【００４４】
冷蔵室６内では冷気は下部へ暖気は上部へ移動するため冷蔵室６上段に近いほど温度ムラは大きくなるが、冷蔵室６上部に設けた冷却ファン２６と脱臭ファン４１による冷気の対流方向は逆向きで尚且つ同期して同時に回転動作を行うよう制御してあるため、上段で冷気が攪拌され冷蔵室の温度ムラを抑えることができる。
【００４５】
また、冷蔵室６上段の温度が上昇した場合のみ脱臭ファン４１を回転動作させるよう制御すると、冷蔵室の温度ムラを抑えることができると共に、必要な時以外は脱臭ファン４１を停止させて冷蔵室の温度制御を行うため省エネと静音を実現することができる。
【００４６】
また、冷蔵室６上部に設けた冷却ファン２６と脱臭ファン４１を交互に回転動作させるよう制御すると、冷蔵室の温度ムラを抑えることができると共に、常時ひとつのファンで冷蔵室の温度制御を行うため省エネと静音を実現することができる。
【００４７】
また、冷蔵室６内の温度が安定した場合冷却ファン２６を停止させて脱臭ファン４１のみで回転動作させるよう制御すると、冷蔵室の温度ムラを抑えることができると共に、常時ひとつのファンで冷蔵室の温度制御を行うため省エネと静音を実現することができる。
【産業上の利用可能性】
【００４８】
以上のように、本発明にかかる冷蔵庫は、安価な冷却器で冷蔵室および冷蔵室下部に設置した冷蔵室よりも設定温度を低くした低温室を温度ムラなく十分に設定温度まで冷却できるので、冷凍機器全般の冷却方式としても適用できる。
【図面の簡単な説明】
【００４９】
【図１】本発明による冷蔵庫の実施の形態１における縦断面図
【図２】本発明による冷蔵庫の実施の形態１における冷凍サイクル図
【図３】本発明による冷蔵庫の実施の形態１における冷蔵室化粧板裏のダクト構成斜視図
【図４】本発明による冷蔵庫の実施の形態２における冷蔵室化粧板裏のダクト構成斜視図
【図５】従来の冷蔵庫の縦断面図
【符号の説明】
【００５０】
２    内箱
２１  化粧板
２２  冷却ダクト
２２ａ  冷気吐出ダクト
２２ｂ  冷気吸込ダクト
２２ｃ  脱臭ダクト
２５  冷却プレート
２６  冷却ファン
２７  連通口
３９  バイパス
４０  脱臭装置
４１  脱臭ファン
【図１】
2006010204.tif 000003
【図２】
2006010204.tif 000004
【図３】
2006010204.tif 000005
【図４】
2006010204.tif 000006
【図５】
2006010204.tif 000007